(57)【要約】      （修正有）【課題】海水を太陽熱と風を効率よく利用し、人手を掛けず衛生的に、非常に低いエネルギーで塩を作りだす海水塩製造装置を提供する。【解決手段】光と熱を取り入れる機能を有する材質で出来た水槽２と、この上部にある同じ材質の蓋１に排気ファン５と、吸気フィルター７を設け、水槽の海水面近くに吸気ダクト６から排気ダクト４に風の流れを誘導する風板Ｉ１０と攪拌羽１５で構成したものである。【選択図】図１
2015048301.tif 000002
【特許請求の範囲】
【請求項１】
光と熱を取り入れる機能を有する材質で出来た海水を溜める水槽と、この上部にある同じ材質の蓋に、風を取り入れる吸気フィルターを設けた吸気ダクトと、風を吸い出す排気ファンと結露マットを設けた排気ダクトを有し、前記水槽の海水面近くに風を吸気ダクトから排気ダクトに誘導する風板Ｉと、海水の水位の変化に伴い位置を変える攪拌羽で構成された海水塩製造装置。
【請求項２】
排気ファンの風圧により、風板Ｉ・ＩＩ・ＩＩＩの角度を変える止メ輪を設けた固定板と、海水の蒸発を早めるため開口部を複数設けた風板ＩＩ・ＩＩＩと、これに海水を撒く攪拌棒に設けた攪拌羽を回転させる攪拌機で構成された請求項１記載の海水塩製造装置。
【請求項３】
水槽に備えた排水口へ勾配を設けた底板と、中央から両側へ低く勾配を設けた蓋の請求項１記載の海水塩製造装置。
【請求項４】
攪拌羽に設けた回転防止ピンにより回転方向に固定し、上下方向に可動するよう溝を設けた攪拌機に接続した攪拌棒と、攪拌機が作動してない時、海水面近くに浮くよう比重の軽い材質で出来た攪拌羽の請求項１又は請求項２記載の海水塩製造装置。
【発明の詳細な説明】
【技術分野】
【０００１】本発明は、海水を太陽光と風を効率よく利用し、低いエネルギーで人手を掛けず衛生的に塩を作り出す海水塩製造装置に関するものである。
【背景技術】
【０００２】一般に、販売されている塩は岩塩を再加工して作られた物や、平釜で熱を加え製造するため、海水に多く含まれるミネラルや微量元素が失われている。【０００３】そこで、前記のミネラルや微量元素を多く含む自然海塩を製造するため、強制的に海水の水分だけを早く蒸発させる必要がある。現在は平釜の中の海水を木材や化石燃料など高いエネルギーを使い生産している。また、加熱噴霧方式も同じく高いエネルギーコストをかけて生産している。尚、自然乾燥は砂や笹や布に海水を撒いて濃度を高くしてから、温室で乾燥し塩の製造を行っている。その為、時間、天気、人手、そして場所などを考えると高いコストが掛かっている。また、砂や笹などに海水を撒布し回収する上で不衛生になることがある。【０００４】また、他の例として太陽エネルギーを塩田ハウス内に集熱し、海水の水分を効率よく蒸発させ、コストの低い自然海塩を工場的にて生産するとあるが、大きな設備投資や場所、台風対策など必要である。（例えば特開文献１）【０００５】また、他の方法でも設備費や燃料費がかかり、現在の化石燃料を減らしＣＯ２を削減する流れに逆行している。（例えば特開文献２、３）
【先行技術文献】
【特許文献】
【０００６】
【特許文献１】  特開２０１１−４２５２４
【特許文献２】  特開２００９−２５６１３６
【特許文献３】  特開２００５−２８９７１７
【発明の概要】
【発明が解決しようとする課題】
【０００７】このような従来の海水塩の天日平釜法や加熱噴霧での製造方法は、多くの木材や化石燃料を使う。また、海水を砂や笹や布などに撒布し、塩分濃度を高め回収し温室で再度蒸発させる方法は天気の良し悪しで長い時間と人手を掛ける必要がある。また、砂や笹や布に海水を撒布する作業では衛生上良くない。また、特開１は多くの設備資金が必要で台風対策などの心配がある。尚、特開２，３は設備費や燃料費がかかる。【０００８】本発明はこのような従来の課題を解決するものであり、構造が簡単で安価であり、広い場所や多くの作業手間を必要とせず、密閉された箱の中で衛生的に塩を製造することが出来る。また、化石燃料を使わず太陽光と風を最大現に利用した使い勝手の良い、多くのミネラルと微量元素を含んだ塩の海水塩製造装置を提供することを目的としている。
【課題を解決するための手段】
【０００９】上記の課題を解決するため、光と熱を取り入れる機能を有する材質で出来た水槽と、この上部にある同じ材質の蓋に、風を取り入れる吸気フィルターを備えた同じ材質の吸気ダクトと、中の風を吸出す排気ファンと結露マットを備えた同じ材質の排気ダクトを設け、前記蓋の内側に吸気フィルターから入る風を海水面近くを通り排気ダクトへ誘導する風板Ｉ・ＩＩ・ＩＩＩを設ける。また、海水の水位の変化に伴い位置を自動で変える攪拌羽により構成されたものである。【００１０】この手段により水槽や、蓋から太陽光を最大限に取り入れ、この光で海水を温め海水の蒸発を早めることが出来る。また、吸気フィルターにより綺麗にした外の風を取り入れ、海水が蒸発し湿気を多く含んだ風を排気ファンにより人手を掛けず連続して水槽の外へ出すことが出来る。また、結露マットを設けることで塩分を多く含んだ湿気を再度蒸発させることが出来る。尚、風板を設けることで海水面近くに風の流れを集め、風の流れを速くする。これにより風板ＩＩ、ＩＩＩに付着した海水に大量の風が接触し蒸発を早めることが出来る。また、浮力のある攪拌羽により海水面近くの海水を常に風板ＩＩ・ＩＩＩに撒くことが出来る効率の良い海水塩製造装置が得られる。【００１１】また、排気ファンの風圧により、風板Ｉ・ＩＩ・ＩＩＩの角度を変える止メ輪を設けた固定板と、海水の蒸発を早めるため開口部を複数設けた風板ＩＩ・ＩＩＩと、これに海水を撒く攪拌棒に設けた攪拌羽を回転させる攪拌機で構成したものである。【００１２】この手段により海水面の高さの変動に関わらず風の流れを海水面近くへ導くことができる。また、風板ＩＩ・ＩＩＩに開口部を複数設け、その開口部を風が流れることで海水の蒸発を早めることが出来る。また、攪拌羽を比重の軽い材質で製作することで、常に海水面近くの海水を撒くことの出来る効率の良い海水塩製造装置を得られる。【００１３】また、水槽に備えた排水口へ勾配を設けた底板と、中央から両側へ低く勾配を設けた蓋により構成したものである。【００１４】この手段により水槽の海水が残り少なくなった際、塩分濃度が高くなった海水を排水口中央へ集めることが出来る。これにより攪拌羽と海水が接触し、最後まで効率よく乾燥出来る。また、蓋に勾配を設けることで蓋の強度を強くし、埃や雨水の流れを良くし、蓋と水槽を綺麗に保つことが出来る。これにより太陽の光と熱を取り入れることの出来る効率の良い海水塩製造装置を得られる。【００１５】また、攪拌羽に設けた回転防止ピンにより回転方向に固定し、上下方向に可動するよう溝を設けた攪拌機に接続した攪拌棒と、攪拌機が作動してない時、海水面近くに浮くよう比重の軽い材質で出来た攪拌羽により構成したものである。【００１６】この手段により攪拌棒に溝を設けることで攪拌機に接続した攪拌棒が回転した際、回転防止ピンが攪拌羽の遠心力で溝側面に触れ回転方向と上下方向に攪拌羽が移動することなくロックされる。また、海水が蒸発し海水面が下がっても比重の軽い攪拌羽は攪拌棒の回転が止まると海水面近くに浮く効率の良い海水塩製造装置を得られる。
【発明の効果】
【００１７】本発明によれば構造が簡単で、安価で、化石燃料を使わず、衛生的で、人手がいらず、置き場所を選ばず、ミネラルや微量元素を多く含んだ塩を製造することが出来る効果のある海水塩製造装置を提供できる。【００１８】また、水槽、蓋、吸気ダクト、排気ダクト、風板Ｉ・ＩＩ・ＩＩＩを太陽の光と熱を取り入れる機能を有する材質で製造することで、海水を効率よく、化石燃料を使うことなく、早く蒸発できる効果のある海水塩製造装置を提供できる。【００１９】また、吸気ダクトに設けた吸気フィルターで濾過した綺麗な風を水槽の中に取り入れることで、衛生的な塩を製造できる効果のある海水塩製造装置を提供できる。【００２０】また、排気ダクトに設けた排気ファンで水槽内の湿度の高い風と、外の風を連続で入れ替えることができる。これにより海水を早く蒸発させる効果のある海水塩製造装置を提供できる。【００２１】また、強い排気ファンにより塩分を含んだ海水も流れ出る。その海水を結露マットに付着させ再度蒸発させる海水塩製造装置を提供できる。【００２２】また、固定板と風板Ｉ・ＩＩ・ＩＩＩを止メ輪でつなぐことで風板の板先を排気ファンの風圧により動かすことが出来、風板と海水面との高さを一定に保つことが出来る。これにより狭い一定の広さの中を風が速く流れ海水の乾燥を早める効果のある海水塩製造装置を提供できる。【００２３】また、風板ＩＩ・ＩＩＩに開口部を複数設けることで開口部からも速い風の流を作れる。これにより風板ＩＩ・ＩＩＩに付着した海水と風との接触で早く乾燥させる効果のある海水塩製造装置を提供できる。【００２４】また中央の排水口へ向かって底板を低くすることで残り少ない塩分濃度の高い海水を中央に集めることができる。これにより最後まで海水を攪拌羽で散水できる効果がある。また、水槽を清掃する際、清掃水を排水口にスムーズに洗い出すことで、作業時間の短縮を計ることが出来る効果のある海水塩製造装置を提供できる。【００２５】また、蓋の面に勾配を設けることで蓋の強度を強くする。また、埃、雨水の付着を少なくし蓋と水槽を綺麗に保ち、太陽光を最大限に取り入れ海水の乾燥を早める効果のある海水塩製造装置を提供できる。【００２６】攪拌羽に設けた回転防止ピンにより回転方向に固定し、上下方向に可動するよう溝を設けた攪拌棒と、攪拌機が作動してない時、海水面近くに浮くよう比重の軽い材質で出来た攪拌羽により、海水面が移動しても自然に海水面近くに移動できる。これにより攪拌羽の位置を人工的に調整することなく、海水を風板ＩＩ・ＩＩＩに撒くことが出来る効果のある海水塩製造装置を提供できる。
【図面の簡単な説明】
【００２７】
【図１】本発明の海水塩製造装置の使用状態を示す正面図
【図２】本発明の海水塩製造装置の使用状態を示す平面図
【図３】本発明の海水塩製造装置の使用状態を示す吸気フィルター側の側面図
【図４】本発明の海水塩製造装置の使用状態を示す排気ファン側の側面図
【図５】本発明の海水塩製造装置の使用状態を示す攪拌機の側面図
【図６】本発明の海水塩製造装置の攪拌羽Ａ‐Ａ断面拡大図
【発明を実施するための形態】
【００２８】以下、本発明の実施の形態について図面を参照しながら説明する。
図１〜図４に示すように、透明の材質で出来た水槽▲２▼に海水▲３▼をいれる。水槽▲２▼の上部に同じく透明の材質の蓋▲１▼を据え付ける。蓋▲１▼に設けた排気ダクト▲４▼に備えた排気ファン▲５▼により外の風を取り入れる。また、吸気ダクト▲６▼に備えた吸気フィルター▲７▼で風に含まれる埃、虫、ウイルスを取り除く、これにより水槽▲２▼内に綺麗な風を取り入れることが出来る。尚、取り入れた風は、風板Ｉ▲１０▼・風板ＩＩ▲１１▼・風板ＩＩＩ▲１２▼により海水▲３▼と風板の隙間を流れる。また、風は風板ＩＩ▲１１▼風板ＩＩＩ▲１２▼の開口部▲２０▼を通り抜け攪拌羽▲１５▼で撒かれた海水▲３▼に触れ蒸気を含みながら結露マット▲８▼を通り排気ダクト▲４▼の外側へ流れ出る。
この一連の働きにより海水▲３▼の蒸発を早く、綺麗に、人手を掛けることなく効率の良い効果が可能になる作用を有する。
【００２９】また、強い排気ファン▲５▼により塩分を含んだ海水▲３▼も流れ出る。その海水▲３▼を結露マット▲８▼に付着させ再度蒸発させる効率の良い効果が可能になる作用を有する。
【００３０】また、固定板▲１７▼と風板Ｉ▲１０▼・ＩＩ▲１１▼・ＩＩＩ▲１３▼を止メ輪▲２１▼でつなぐことで風板Ｉの板先を排気ファン▲５▼の風圧により動かすことが出来、風板Ｉ▲１０▼・ＩＩ▲１１▼・ＩＩＩ▲１２▼と海水面との高さを一定に保つことが出来る、これにより狭い一定の広さの中を風が速く流れ、風板ＩＩ▲１１▼・風板ＩＩＩ▲１２▼に攪拌羽▲１５▼により撒き付着した海水▲３▼の乾燥を早める効率の良い効果が可能になる作用を有する。
【００３１】また、排水口▲１６▼の中央に向かって底板▲９▼を低くすることで、塩分濃度が高くなった海水▲３▼を中央に集めることが出来る。これにより最後まで海水▲３▼を攪拌羽▲１５▼で風板ＩＩ・ＩＩＩに撒く事が出来る。また、海水▲３▼が中央に寄ることで出来上がった塩の回収を早く出来る。尚、掃除の際排水口▲１６▼から早く掃除水を洗い出す効率の良い効果が可能になる作用を有する。
【００３２】また、蓋▲１▼の中央から両側へ低く傾斜を設けることで蓋▲１▼の強度を強くする。また、埃、雨水の付着を無くし、蓋▲１▼と水槽▲２▼を綺麗に保つことが出来る。これにより太陽光を最大限に取り入れることで、水槽▲２▼内の温度を高くし海水▲３▼を早く蒸発させる効率の良い効果が可能になる作用を有する。
【００３３】図５〜図６に示すように、攪拌羽▲１５▼に設けた回転防止ピン▲１９▼により回転方向に固定し、上下方向に可動するよう溝▲１８▼を設けた攪拌棒▲１４▼と、攪拌機▲１３▼が作動してない時、海水▲３▼面近くに浮くよう比重の軽い材質で出来た攪拌羽▲１５▼は、海水▲３▼が蒸発し、海水面が下がっても自然に海水面近くに下げ止まる。この動きにより攪拌羽▲１５▼が空回りすることなく海水▲３▼を撒くことが出来る効率の良い効果が可能になる作用を有する。
【符号の説明】
【００３４】▲１▼    蓋
▲２▼    水槽
▲３▼    海水
▲４▼    排気ダクト
▲５▼    排気ファン
▲６▼    吸気ダクト
▲７▼    吸気フィルター
▲８▼    結露マット
▲９▼    底板
▲１０▼  風板Ｉ
▲１１▼  風板ＩＩ
▲１２▼  風板ＩＩＩ
▲１３▼  攪拌機
▲１４▼  攪拌棒
▲１５▼  攪拌羽
▲１６▼  排水口
▲１７▼  固定板
▲１８▼  溝
▲１９▼  回転防止ピン
▲２０▼  開口部
▲２１▼  止メ輪
【図１】
2015048301.tif 000003
【図２】
2015048301.tif 000004
【図３】
2015048301.tif 000005
【図４】
2015048301.tif 000006
【図５】
2015048301.tif 000007
【図６】
2015048301.tif 000008